(57)【要約】【課題】耐久性を向上させた伸縮装置及び該伸縮装置を備えて傘の高さ調整が容易となる傘取付け具を提供する。【解決手段】外筒１内に遊嵌された内筒２の端部にテーパ部３と該テーパ部の小径側端部に隣接するネジ軸４とが筒軸と同軸に設けられ、ネジ軸４に螺合する筒状の制動部材６が外筒１の内周面に接して追従回転してネジ軸方向に移動し、制動部材６のテーパ部側端部の拡縮部６ｂにテーパ部３が圧入されて拡径し、外筒１と内筒２とが当接固定される伸縮装置において、制動部材６のテーパ部側とは反対側端部に、外筒１の内周面よりも大径で外筒１の内周面に弾性的に摩擦係合する摺接部６ｄが設けられている。傘取付け具は、外筒１及び内筒２の非遊嵌側の各端部の一方に傘の柄の保持部を設け、他方に取付け対象物に連結支持させる支持部を設けてある。【選択図】図３
0003140677.tif 000002
【実用新案登録請求の範囲】
【請求項１】
外筒内に内筒が遊嵌され、該内筒の一端部にテーパ部と該テーパ部の小径側端部に隣接するネジ軸とが筒軸と同軸に設けられ、前記外筒の内周面に接触して追従回転する筒状の制動部材が前記ネジ軸に螺合され、該制動部材のテーパ部側の端部に拡縮部が設けられ、該拡縮部に前記テーパ部が圧入されて拡縮部が拡径することにより前記外筒と内筒とが当接固定され、両筒が筒軸方向に相対移動して長さ調整された位置に保持されるように構成してある伸縮装置において、
前記制動部材のテーパ部側とは反対側の端部に、前記外筒の内周面よりも大径で、前記外筒の内周面に弾性的に摩擦係合する摺接部が設けてあることを特徴とする伸縮装置。
【請求項２】
前記摺接部は軸方向に沿う割溝を備えていることを特徴とする請求項１に記載の伸縮装置。
【請求項３】
前記摺接部は外周面に突部を備えていることを特徴とする請求項１又は２に記載の伸縮装置。
【請求項４】
前記拡縮部は外周面に摩擦部材を備えていることを特徴とする請求項１から３の何れかに記載の伸縮装置。
【請求項５】
請求項１から４の何れかに記載の伸縮装置を備え、前記外筒及び内筒の遊嵌されていない側の各端部の一方に傘の柄を保持する傘保持部を設け、該各端部の他方に取付け対象物に連結して支持させるための支持部を設けてあることを特徴とする傘取付け具。
【請求項６】
前記傘保持部及び支持部は、前記外筒又は内筒の筒軸方向と交差する向きの貫通孔を備えて、前記外筒又は内筒の端部に固着された基部と、該基部の貫通孔の軸心周りに回動自在で該基部に取り付け固定され、前記貫通孔の軸心方向に変位して傘の柄又は取付け対象物を把持する把持部材とを有することを特徴とする請求項５に記載の傘取付け具。
【考案の詳細な説明】
【技術分野】
【０００１】
本考案は、外筒内に内筒を遊嵌して筒軸方向に伸縮可能に構成した伸縮装置、及び該伸縮装置を備えた傘取付け具に関する。
【背景技術】
【０００２】
自転車のハンドル等に傘を支持させ、傘の高さを調整できるようにした傘取付け具が公知である（特許文献１、２参照）。特許文献１に記載の傘取付け具は、自転車のハンドル等に固定される支持部に内面の一部にスリットを備えた案内孔を設け、傘の柄を上端に把持した柱体の下部を該案内孔に上下動自在に挿通させ、柱体を上下して傘の高さを調節した後、案内孔をスリットと直交する方向に締め付けて案内孔内の柱体を固定する構造である。特許文献２に記載の傘取付け具は、自転車のフレーム側に連結固定される円筒状アームの先端部に、傘の柄を保持する保持部を先端に備えた伸縮アームが出没可能に内嵌保持され、円筒状アームの先端部に外周側から螺合させた係止部材によって伸縮アームを挟圧して固定する構造である。
【０００３】
また、傘取付け具とは異なる杖の分野において、外筒内に内筒を筒軸方向に遊嵌挿通して杖の長さを調整できるようにした伸縮装置が公知である（特許文献３、４参照）。具体的には、内筒の一端部に先端側が小径となるテーパ部を同軸に形成すると共に該テーパ部にネジ軸を同軸に固着し、又は内筒の一端部にネジ軸を筒軸と同軸に固着すると共に該ネジ軸にネジ軸に近い側が小径となるテーパ部を同軸に固着し、外筒の内周面に摩擦係合する円筒状の制動部材がネジ軸に螺合されると共に該制動部材のテーパ部側の端部に軸方向に沿う割溝により弾性的に拡縮自在な拡縮部を形成し、外筒と内筒との相対回転により制動部材が外筒の内周面に追従して回転してネジ軸の軸方向に移動し、制動部材の拡縮部がテーパ部によって圧入されて拡径し又は圧入されない状態で縮径することにより、外筒と内筒とを当接固定又は固定解除する構造である。そして制動部材が外筒の内周面と摩擦係合する手段として、拡縮部に外筒の内周面側に突出したリップ体を設けるか、あるいは拡縮部の外径を外筒の内周面と略同一径に形成している。
【特許文献１】特開２００４−３５８０７０号公報
【特許文献２】実用新案登録第３１１４５７６号公報
【特許文献３】特開平９−２０６１１５号公報
【特許文献４】特開２００６−２３９１５３号公報
【考案の開示】
【考案が解決しようとする課題】
【０００４】
特許文献１、２に記載の傘取付け具では、上端に傘の柄が保持された柱体（アーム）を手に持って柱体の上下位置を調整した後、一方の手を締付部材に持ち替えて柱体（アーム）を締め付けて固定する必要があるため、高さ調整の操作が面倒であった。
特許文献３、４に記載の伸縮装置では、長さ調整した後、外筒と内筒とを相対回転させるだけで筒同士が固定されるので、長さ調整の操作が容易である利点はあるが、筒同士の固定時に拡径されて外筒の内周面に強力に押し付けられる制動部材の拡縮部の外周面又は外周面に設けたリップ体により、摩擦係合の手段を構成しているので、外筒の内周面に対する拡縮部の当接の繰り返しにより拡縮部の外周面又はリップ体が摩耗して、外筒の回転に追従回転するために必要な制動部材の摩擦係合力が低下するおそれがある。
【０００５】
本願考案は、上述したような事情に鑑みてなされたものであり、外筒の内周面に対する制動部材の摩擦係合力の低下を抑制して、耐久性を向上させた伸縮装置を提供することを目的とする。
【０００６】
また本願考案は、前記伸縮装置を備えて傘の高さ調整が容易である傘取付け具を提供することを他の目的とする。
【課題を解決するための手段】
【０００７】
第１の考案に係る伸縮装置は、外筒内に内筒が遊嵌され、該内筒の一端部にテーパ部と該テーパ部の小径側端部に隣接するネジ軸とが筒軸と同軸に設けられ、前記外筒の内周面に接触して追従回転する筒状の制動部材が前記ネジ軸に螺合され、該制動部材のテーパ部側の端部に拡縮部が設けられ、該拡縮部に前記テーパ部が圧入されて拡縮部が拡径することにより前記外筒と内筒とが当接固定され、両筒が筒軸方向に相対移動して長さ調整された位置に保持されるように構成してある伸縮装置において、前記制動部材のテーパ部側とは反対側の端部に、前記外筒の内周面よりも大径で、前記外筒の内周面に弾性的に摩擦係合する摺接部が設けてあることを特徴とする。
【０００８】
第１の考案においては、外筒と内筒との相対回転により、内筒の一端部に同軸に設けたネジ軸に螺合する筒状の制動部材のテーパ部側とは反対側の端部の摺接部が外筒の内周面に弾性的に摩擦係合することにより、制動部材が外筒に追従回転してネジ軸の軸方向に移動するので、制動部材の拡縮部に内筒の一端部に同軸に設けたテーパ部が圧入される向きの反対側に制動部材が移動するように外筒と内筒とを相対回転させ、外筒と内筒との当接固定を解除した状態で両筒を筒軸方向に相対移動させて、筒体全体の長さを調整する。次に、外筒と内筒とを上記とは逆向きに相対回転させると、制動部材の拡縮部にテーパ部が圧入されて拡縮部が拡径し、拡径した制動部材の拡縮部を間にして外筒と内筒とが当接固定され、筒体全体の長さを調整した位置に保持される。
【０００９】
第２の考案に係る伸縮装置は、前記摺接部は軸方向に沿う割溝を備えていることを特徴とする。
第２の考案においては、軸方向に沿う割溝によって筒状の摺接部が周方向に分割され、各分割片が細長い形状となって弾性係数が小さくなり、摺接部は外筒の内周面に対して比較的小さい押圧力によって弾性的に良好に摩擦係合することができる。
【００１０】
第３の考案に係る伸縮装置は、前記摺接部は外周面に突部を備えていることを特徴とする。
第３の考案においては、外筒と内筒との相対回転時に、摺接部の外周面に備えた突部が外筒の内周面を押圧して滑りが抑制された状態で摩擦係合し、制動部材が外筒に対して良好に追従回転することができる。
【００１１】
第４の考案に係る伸縮装置は、前記拡縮部は外周面に摩擦部材を備えていることを特徴とする。
第４の考案においては、拡径した制動部材の拡縮部の外周面に備えた摩擦部材によって拡縮部の外周面と外筒の内周面との間に強い摩擦力が働くため、外筒と内筒とを緩みが生じにくい状態を良好に当接固定させることができる。
【００１２】
第５の考案に係る傘取付け具は、前述の伸縮装置を備え、前記外筒及び内筒の遊嵌されていない側の各端部の一方に傘の柄を保持する傘保持部を設け、該各端部の他方に取付け対象物に連結して支持させるための支持部を設けてあることを特徴とする。
第５の考案においては、外筒及び内筒の遊嵌されていない側の各端部の一方に設けた傘保持部を他方に設けた支持部の上方に位置させ、該支持部を取付け対象物に連結して支持させると共に傘保持部に傘の柄を保持させた後、外筒と内筒とを相対回転させて外筒と内筒との当接固定を解除した状態で筒の長さを変更して傘の高さを調整し、次に外筒と内筒とを逆向きに相対回転させて、調整した傘の高さを維持するように外筒と内筒とを当接固定させる。
【００１３】
第６の考案に係る傘取付け具は、前記傘保持部及び支持部は、前記外筒又は内筒の筒軸方向と交差する向きの貫通孔を備えて、前記外筒又は内筒の端部に固着された基部と、該基部の貫通孔の軸心周りに回動自在で該基部に取り付け固定され、前記貫通孔の軸心方向に変位して傘の柄又は取付け対象物を把持する把持部材とを有することを特徴とする。
第６の考案においては、外筒又は内筒の端部に固着された傘保持部側の基部に外筒又は内筒の筒軸方向と交差する向きに備えた貫通孔の軸心回りに回動自在な把持部材を取り付け、該把持部材を貫通孔の軸心方向に変位させることにより傘の柄を把持して保持し、また、支持部側の基部に把持部材を取り付け、該把持部材を貫通孔の軸心方向に変位させることにより取付け対象物を把持して支持させる。
【考案の効果】
【００１４】
第１の考案に係る伸縮装置によれば、外筒の回転に追従するために外筒の内周面に弾性的に摩擦係合する摺接部が制動部材の拡縮部とは反対側の端部に設けてあるので、拡縮部を外筒の内周面に摺接させて外筒に追従回転させる構成とした場合には、外筒と内筒の固定時に拡径された拡縮部の外周面が繰り返し外筒の内周面に当接して摩耗し、追従回転に必要な摩擦係合力が低下するおそれを回避することができる。
従って、外筒の内周面に対する制動部材の摩擦係合力の低下を抑制して、耐久性を向上させた伸縮装置が提供される。
【００１５】
第２の考案に係る伸縮装置によれば、軸方向に沿う割溝によって筒状の摺接部が外筒の内周面に対して比較的小さい押圧力によって弾性的に良好に摩擦係合するので、摺接部の摩耗を抑制した状態で制動部材を外筒の内周面に追従回転させることができる伸縮装置が提供される。
【００１６】
第３の考案に係る伸縮装置によれば、摺接部の外周面に備えた突部により滑りが抑制された状態で摺接部が外筒の内周面に摩擦係合するので、外筒の内周面に対する制動部材の摩擦係合力の低下をさらに抑制した伸縮装置が提供される。
【００１７】
第４の考案に係る伸縮装置によれば、拡径した制動部材の拡縮部の外周面に備えた摩擦部材により、外筒と内筒とが相対回転しにくい状態で当接固定されるので、調整した筒体の長さを安定に維持できる伸縮装置が提供される。
【００１８】
第５の考案に係る傘取付け具によれば、外筒と内筒とを手に持って相対回転させて外筒と内筒との当接固定を解除した状態で両筒の長さを変更して傘の高さを調整した後、外筒と内筒とを同じ手に持ったままで逆向きに相対回転させて外筒と内筒とを当接固定することができるので、傘の高さ調整の操作が容易な傘取付け具が提供される。
【００１９】
第６の考案に係る傘取付け具によれば、基部に取り付けた把持部材を貫通孔の軸心方向に変位させることにより、傘保持部に傘の柄を把持して保持させ、支持部に取付け対象物を把持して連結支持させることができるので、傘の保持及び取付け対象物への連結保持の操作が容易な傘取付け具が提供される。
【考案を実施するための最良の形態】
【００２０】
以下、本考案に係る伸縮装置及び傘取付け具の実施の形態について、図面に基づいて説明する。図１は本考案に係る伸縮装置を備えた傘取付け具の正面図、図２は本考案に係る伸縮装置の主要部の正面図、図３は伸縮装置の構造及び動作を示す正面一部断面図である。
【００２１】
本考案に係る伸縮装置では、図２及び図３に示すように、外筒１の内径が内筒２の外径より少し大径に形成されて、外径１内に内筒２が遊嵌されている。外径１内に挿通される内筒２の一端部にはテーパ部３と該テーパ部３の小径側端部に隣接するネジ軸４とが筒軸と同軸に設けられている。テーパ部３は内筒２の一端部から遠い側が小径となる円錐状をなして内筒２の端部に固着され、テーパ部３の先端にネジ軸４が固着されている。ネジ軸４は長手方向の中央部分にのみネジ部４ａを有している。外筒１及び内筒２は金属製のパイプ材にて構成される。テーパ部３は硬質のプラスチック材料等で構成され、ネジ軸４は金属製であるが、テーパ部３を金属製とし、ネジ軸４を硬質のプラスチック材料等で構成してもよい。尚、内筒２の外周には、外筒１の端部と内筒２の外周面との隙間を覆う円筒状のキャップ８が遊嵌されている（図１）。
【００２２】
ネジ部４には外筒１の内周面に摩擦係合する筒状の制動部材６が螺合され、ネジ部４の先端には制動部材６に対するナット状の抜け止め部５が設けてある。制動部材６は硬質のプラスチック材料等で構成され、制動部材６のテーパ部３側の端部に軸方向に沿う割溝６ａにより弾性的に拡縮自在な拡縮部６ｂが形成してある。拡縮部６ｂは外周面に摩擦部材７を備えている。割溝６ａは制動部材６の周方向の１８０度回転対称の位置に２個設けてあり、摩擦部材７は割溝６ａの部分を除く制動部材６の周方向の範囲に摩擦係数の大きいゴムシート材を張り付けて形成してある。
【００２３】
制動部材６のテーパ部３（拡縮部６ｂ）側とは反対側の端部には、軸方向に沿う割溝６ｃを備えると共に外筒１の内周面よりも大径に形成されて、外筒の内周面に弾性的に摩擦係合する摺接部６ｄが設けてある。摺接部６ｄは外周面に突部６ｅを備えている。割溝６ｃは制動部材６の周方向の９０度回転対称の位置に４個設けてあり、突部６ｅは割溝６ｃの間の制動部材６の各領域の中央に周方向に長軸が沿った楕円形状に形成してある。
【００２４】
上記構成の伸縮装置において、外筒１と内筒２とを相対回転させると、制動部材６の摺接部６ｄが突部６ｅにて外筒１の内周面に摩擦係合して外筒１に追従回転し、制動部材６がネジ軸４に螺合してネジ軸４の軸方向に移動する。外筒１と内筒２との相対回転により制動部材６が移動し、拡縮部６ｂにテーパ部３が圧入されて拡径することにより、外筒１と内筒２とが当接固定され、逆向きに制動部材６が移動し拡縮部６ｂがテーパ部３から離脱して拡縮部６ｂにテーパ部３が圧入されない状態で縮径することにより、外筒１と内筒２との当接固定が解除される。
【００２５】
次に、本考案に係る傘取付け具の実施の形態について説明する。図４は本考案に係る伸縮装置を備えた傘取付け具の右側面図、図５は左側面図、図６は背面図、図７は平面図、図８は底面図、図９は図１のＩＸ−ＩＸ線における断面図、図１０は図１のＸ−Ｘ線における断面図である。
【００２６】
傘取付け具は、外筒１及び内筒２の遊嵌されていない側の各端部の一方に傘の柄を保持する傘保持部１０を設け、該各端部の他方に取付け対象物に連結して支持させるための支持部２０を設けてある。本実施の形態では、傘保持部１０を内筒２の端部に設け、支持部２０を外筒１の端部に設け、傘保持部１０及び支持部２０は同一構造である。
【００２７】
傘保持部１０は、内筒２の筒軸方向と交差する向きの貫通孔１１ｄ（図１０）を備えて、内筒２の遊嵌されていない側の端部に固着された基部１１と、該基部１１の貫通孔１１ｄの軸心周りに回動自在で基部１１に取り付け固定され、貫通孔１１ｄの軸心方向に変位して傘の柄を把持する把持部材１２，１３とを有する。基部１１は内筒２の端部に同軸に外嵌圧入された円筒部１１ａと該円筒部１１ａの横側部に連なる板状部１１ｂとからなり、板状部１１ｂの中央に貫通孔１１ｄを備えるとともに貫通孔１１ｄの周りに菊座１１ｃを備えている。
【００２８】
把持部材１２，１３は長手方向一端側に把持凹部１２ａ，１３ａを有し、他端部が枢軸１７によって開閉可能に連結された一対の略対称形の部材１２，１３からなる。把持凹部１２ａ，１３ａと枢軸１７との間の両部材１２，１３を貫通する貫通孔１２ｂ，１３ｂが設けられ、一方の部材１２の貫通孔１２ｂが丸孔に形成され、その縁部外周側に菊座１２ｃが設けられている。他方の部材１２の貫通孔１３ｂは把持部材１２，１３の長手方向に長い長孔に形成されている。
【００２９】
各把持凹部１２ａ，１３ａは、外周面の中央部と枢軸１７側への延長部の端部との２箇所に設けた円筒リブ１８によって各部材１２，１３の内壁側の円筒部に内嵌支持されている。一方の把持凹部１２ａは対応する部材１２の貫通孔１２ｂと同一形状の丸孔を有し、他方の把持凹部１３ａは対応する部材１３の貫通孔１３ｂと略同一形状の長孔を有する。把持凹部１２ａ，１３ａは比較的柔軟な合成樹脂材料により構成してある。
【００３０】
一方の把持凹部１２ａと他方の把持部材１３との間に配置したコイルバネ１６を軸方向に通り、把持部材１２，１３の各貫通孔１２ｂ，１３ｂと板状部１１ｂの貫通孔１１ｄとを挿通するように、後端にナット部１４ａを備えたねじ軸１４を配置し、ねじ軸１４の先端に調整ネジ１５を螺着することにより、把持部材１２，１３が板状部１１ｂに対して回転可能に取り付けられる。調整ネジ１５を回すことによって把持部材１２，１３の把持力が調整され、貫通孔１２ｂの縁部外周側の菊座１２ｃが板状部１１ｂの貫通孔１１ｄ周りの菊座１１ｃに係合することにより、把持位置に良好に維持できる。
【００３１】
支持部２０は、外筒１の筒軸方向と交差する向きの貫通孔２１ｄ（図９）を備えて、外筒１の遊嵌されていない側の端部に固着された基部２１と、該基部２１の貫通孔２１ｄの軸心周りに回動自在で基部２１に取り付け固定され、貫通孔２１ｄの軸心方向に変位して取付け対象物を把持する把持部材２２，２３とを有する。基部２１は外筒１の端部に外嵌圧入された円筒部２１ａと該円筒部２１ａの横側部に連なる板状部２１ｂとからなり、板状部２１ｂの中央に貫通孔２１ｄを備えるとともに貫通孔２１ｄの周りに菊座２１ｃを備えている。
【００３２】
把持部材２２，２３は長手方向一端側に把持凹部２２ａ，２３ａを有し、他端部が枢軸２７によって開閉可能に連結された一対の略対称形の部材２２，２３からなる。把持凹部２２ａ，２３ａと枢軸２７との間の両部材２２，２３を貫通する貫通孔２２ｂ，２３ｂが設けられ、一方の部材２２の貫通孔２２ｂが丸孔に形成され、その縁部外周側に菊座２２ｃが設けられている。他方の部材２３の貫通孔２３ｂは把持部材２２，２３の長手方向に長い長孔に形成されている。
【００３３】
各把持凹部２２ａ，２３ａは、外周面の中央部と枢軸２７側への延長部の端部との２箇所に設けた円筒リブ２８によって各部材２２，２３の内壁側の円筒部に内嵌支持されている。一方の把持凹部２２ａは対応する部材２２の貫通孔２２ｂと同一形状の丸孔を有し、他方の把持凹部２３ａは対応する部材２３の貫通孔１３ｂと略同一形状の長孔を有する。把持凹部２２ａ，２３ａは比較的柔軟な合成樹脂材料により構成してある。
【００３４】
一方の把持凹部２２ａと他方の把持部材２３との間に配置したコイルバネ２６を軸方向に通り、把持部材２２，２３の各貫通孔２２ｂ，２３ｂと板状部２１ｂの貫通孔２１ｄとを挿通するように、後端にナット部２４ａを備えたねじ軸２４を配置し、ねじ軸２４の先端に調整ネジ２５を螺着することにより、把持部材２２，２３が板状部２１ｂに対して回転可能に取り付けられる。調整ネジ２５を回すことによって把持部材２２，２３の把持力が調整され、貫通孔２２ｂの縁部外周側の菊座２２ｃが板状部２１ｂの貫通孔２１ｄ周りの菊座２１ｃに係合することにより、把持位置に良好に維持できる。
【００３５】
図１１は本考案に係る傘取付け具を自転車に装着した状態を示す斜視図である。
傘取付け具の支持部２０側の調整ネジ２５を緩め、把持部材２２，２３の把持凹部２２ａ，２３ａ間を離間させた状態で把持凹部２２ａ，２３ａを自転車のパイプからなるハンドル３０に嵌合し、外筒１の角度を所定角度にした状態で調整ネジ２５を締め付けることにより支持部２０がハンドル３０に連結支持される。次に、傘保持部１０側の調整ネジ１５を緩め、把持部材１２，１３の把持凹部１２ａ，１３ａ間を離間させた状態で把持凹部１２ａ，１３ａを傘の柄３１に嵌合し、傘の角度を所定角度にした状態で調整ネジ１５を締め付けることにより傘保持部１０に傘の柄３１が保持される。
【００３６】
次に上記のように支持部２０を自転車のハンドル３０に連結支持させ、傘保持部１０に傘の柄３１を保持した後、外筒１と内筒２とが当接固定されていない状態で外筒１に対して内筒２の位置を上下することにより傘の高さを調整する。そして調整した高さ位置で外筒１と内筒２とを相対回転させて外筒１と内筒２とを当接固定することで高さ調整ができる。なお、外筒１と内筒２とが当接固定されるときの両筒１，２の相対回転位置には範囲あり、その範囲内で調整することにより、支持部２０の貫通孔２１ｄの軸方向と傘保持部１０の貫通孔１１ｄの軸方向とを互いに平行状態、直交状態、その間の角度状態に設定することができる。
【００３７】
必要により、支持部２０側の調整ネジ２５を緩め、ねじ軸２４の回りに外筒１を回転させることにより、傘の柄３１の位置を自転車の幅方向に変更調整することができ、また、傘保持部１０側の調整ネジ１５を緩め、ねじ軸１４の回りに内筒２を回転させることにより、支持部２０の貫通孔２１ｄの軸方向と傘保持部１０の貫通孔１１ｄの軸方向との関係に応じて、傘の角度を自転車の幅方向及び前後方向に調整することができる。これにより、日差しの方向及び風雨の方向が変化する状況下で、傘の位置・角度を適切に調整することができる。
【００３８】
図１２は本考案に係る傘取付け具を手押し車に装着した状態を示す斜視図である。支持部２０を手押し車のパイプからなるフレーム３５の横側部に連結支持させている点が異なるが、その他の取付け、傘の位置・角度の調整手順は図１１の場合と同様である。
【００３９】
前述の実施の形態の伸縮装置では、内筒２の一端部に固着したテーパ部３の小径側先端に隣接してネジ軸４を固着する構成としたが、逆に内筒２の一端部にネジ軸４を固着し、該ネジ軸４の先端に小径側端部が隣接する状態でテーパ部３を固着する構成としてもよい。この場合、制動部材６の両端部に設けてある拡縮部６ｂと摺接部６ｄとの位置も入れ替える必要がある。
【００４０】
前述の実施の形態の傘取付け具では、傘保持部１０を内筒２の端部に設け、支持部２０を外筒１の端部に設ける構成としたが、逆に傘保持部１０を外筒１の端部に設け、支持部２０を内筒２の端部に設ける構成としてもよい。
【図面の簡単な説明】
【００４１】
【図１】本考案に係る伸縮装置を備えた傘取付け具の正面図である。
【図２】本考案に係る伸縮装置の主要部の正面図である。
【図３】本考案に係る伸縮装置の構造及び動作を示す正面一部断面図である。
【図４】本考案に係る伸縮装置を備えた傘取付け具の右側面図である。
【図５】本考案に係る伸縮装置を備えた傘取付け具の左側面図である。
【図６】本考案に係る伸縮装置を備えた傘取付け具の背面図である。
【図７】本考案に係る伸縮装置を備えた傘取付け具の平面図である。
【図８】本考案に係る伸縮装置を備えた傘取付け具の底面図である。
【図９】図１のＩＸ−ＩＸ線における断面図である。
【図１０】図１のＸ−Ｘ線における断面図である。
【図１１】本考案に係る傘取付け具を自転車に装着した状態を示す斜視図である。
【図１２】本考案に係る傘取付け具を手押し車に装着した状態を示す斜視図である。
【符号の説明】
【００４２】
１          外筒
２          内筒
３          テーパ部
４          ネジ軸
６          制動部材
６ａ        割溝
６ｂ        拡縮部
６ｃ        割溝
６ｄ        摺接部
６ｅ        突部
７          摩擦部材
１０        傘保持部
１１        基部
１１ｄ      貫通孔
１２，１３  把持部材
２０        支持部
２１        基部
２１ｄ      貫通孔
２２，２３  把持部材
【図１】
0003140677.tif 000003
【図２】
0003140677.tif 000004
【図３】
0003140677.tif 000005
【図４】
0003140677.tif 000006
【図５】
0003140677.tif 000007
【図６】
0003140677.tif 000008
【図７】
0003140677.tif 000009
【図８】
0003140677.tif 000010
【図９】
0003140677.tif 000011
【図１０】
0003140677.tif 000012
【図１１】
0003140677.tif 000013
【図１２】
0003140677.tif 000014